(57)【特許請求の範囲】
【請求項１】
複数の携帯機器との間で通信リンクを同時に確立して通信することが可能な通信手段と、
前記通信手段が複数の携帯機器との間で通信リンクを同時に確立して通信している場合に複数の携帯機器でのカーソル操作を認識するカーソル操作認識手段と、
表示手段と、
複数の携帯機器の各々に個別に対応する複数のカーソルを同時に表示手段に表示させると共に前記カーソル操作認識手段により認識された複数の携帯機器でのカーソル操作に追従して前記表示手段でのカーソル表示を制御して当該カーソル操作に基づいた処理を実行する制御手段とを備え、
前記制御手段は、複数の携帯機器のうちの一の携帯機器から表示画面の切替えを要求する操作を受付けた場合に、表示画面の切替許可を複数の携帯機器のうちの他の携帯機器に対して問合せる表示ガイダンスを、前記表示画面の切替えの要求元である一の携帯機器と複数の携帯機器のうちの当該一の携帯機器を除く他の携帯機器とを識別可能に前記表示手段に表示させ、他の携帯機器から表示画面の切替えを許可する操作を受付けた場合に、一の携帯機器からの表示画面の切替えを要求する操作に基づいて表示画面を切替えることを特徴とする車載マルチカーソルシステム。
【請求項２】
請求項１に記載した車載マルチカーソルシステムにおいて、
前記制御手段は、複数の携帯機器の各々に個別に対応する複数のカーソルを携帯機器毎に異なる表示態様にしたがって前記表示手段に表示させることを特徴とする車載マルチカーソルシステム。
【請求項３】
請求項１または２に記載した車載マルチカーソルシステムにおいて、
前記制御手段は、複数の携帯機器の各々に個別に対応する複数のカーソルをユーザが携帯機器にて設定した表示態様にしたがって前記表示手段に表示させることを特徴とする車載マルチカーソルシステム。
【請求項４】
請求項１または３に記載した車載マルチカーソルシステムにおいて、
前記制御手段は、複数の携帯機器で表示される各々のカーソルの移動可能範囲に追従して前記表示手段でのカーソル表示を制御することを特徴とする車載マルチカーソルシステム。
【請求項５】
請求項１ないし４のいずれかに記載した車載マルチカーソルシステムにおいて、
前記制御手段は、いずれかの携帯機器でカーソルのカーソル位置を当該携帯機器の表示領域での所定位置に移動させる操作が行われた場合には、その携帯機器に対応するカーソルのカーソル位置を前記表示手段での所定位置に移動させることを特徴とする車載マルチカーソルシステム。
【請求項６】
請求項１ないし５のいずれかに記載した車載マルチカーソルシステムにおいて、
前記制御手段は、複数の携帯機器のうちの一の携帯機器から検索条件を入力する操作を受付けた場合には、複数の携帯機器のうちの他の携帯機器から同じ検索条件を入力する操作を受付けないことを特徴とする車載マルチカーソルシステム。
【請求項７】
請求項１ないし６のいずれかに記載した車載マルチカーソルシステムにおいて、
前記制御手段は、複数の携帯機器のうちの一の携帯機器から入力項目を入力領域に入力する操作を受付けた場合には、複数の携帯機器のうちの他の携帯機器から入力項目を同じ入力領域に入力する操作を受付けないことを特徴とする車載マルチカーソルシステム。
【請求項８】
請求項１ないし７のいずれかに記載した車載マルチカーソルシステムにおいて、
前記制御手段は、前記通信手段からポーリング信号を送信させるポーリング時間を周期的に設定し、そのポーリング時間内に応答信号の受信を検出した携帯機器に対しては次のポーリング時間までに処理単位時間を割当てると共に、そのポーリング時間内に応答信号の受信を検出しなかった携帯機器に対しては応答信号の受信を検出しなかった回数が所定回連続した後で次のポーリング時間までの処理単位時間の割当を解除することを特徴とする車載マルチカーソルシステム。
【発明の詳細な説明】
【技術分野】
【０００１】
本発明は、例えば車載ナビゲーションシステムに適用される車載マルチカーソルシステムに関する。
【背景技術】
【０００２】
例えば複数のユーザ（運転手や同乗者など）が共同して車載ナビゲーションシステムにて目的地を検索するような場合、操作リモコンなどの操作機器が１つだけでは、操作機器を持っている人は、自らの意思で目的地を検索することができるが、操作機器を持っていない人は、自らの意思を口頭で操作機器を持っている人に伝達しなければならず、不便である。一方、下記の特許文献１には、遠隔地の端末をネットワークを介して接続し、各々の端末にデータを配信してデータを共有すると共に、各々の端末での処理結果を１つの表示装置に集約して表示する構成が記載されている。また、下記の特許文献２には、アプリケーションの入力操作と出力表示とをネットワークを介して通信して協調作業を行う構成が記載されている。
【特許文献１】特開平７−１７７４８７号公報
【特許文献２】特開平８−３６５４６号公報
【発明の開示】
【発明が解決しようとする課題】
【０００３】
しかしながら、特許文献１に記載されているものでは、端末を操作するユーザが遠隔地に居ることから、複数のユーザが同じ表示装置を見ることができないという問題がある。また、特許文献２に記載されているものでは、各々の端末に透明ボードと称されるオブジェクトを保持する必要があり、構成が複雑になるという問題がある。このような事情から、特許文献１及び特許文献２に記載されている技術を適用したとしても、複数のユーザが共同して例えば車載ナビゲーションシステムにて目的地を検索するときの操作性を高めることができない。
【０００４】
本発明は、上記した事情に鑑みてなされたものであり、その目的は、複数のユーザが共同して例えば目的地を検索したり個人情報を登録したりするときの操作性を高めることができる車載マルチカーソルシステムを提供することにある。
【課題を解決するための手段】
【０００５】
請求項１に記載した発明によれば、カーソル操作認識手段は、通信手段が複数の携帯機器がとの間で通信リンクを同時に確立して通信している場合に複数の携帯機器でのカーソル操作を認識し、制御手段は、複数の携帯機器の各々に個別に対応する複数のカーソルを同時に表示手段に表示させると共にカーソル操作認識手段により認識された複数の携帯機器でのカーソル操作に追従して表示手段でのカーソル表示を制御して当該カーソル操作に基づいた処理を実行するように構成した。
【０００６】
これにより、例えば複数のユーザの各人が携帯機器を所有しており、それら複数のユーザの携帯機器が通信手段との間で通信リンクを同時に確立して通信していると、複数の携帯機器の各々に個別に対応する複数のカーソルを同時に表示すると共に複数の携帯機器でのカーソル操作に追従して表示手段でのカーソル表示を制御して当該カーソル操作に基づいた処理を実行するので、複数のユーザの各人が独立して車載マルチカーソルシステムを操作することができ、複数のユーザが共同して例えば目的地を検索したり個人情報を登録したりするときの操作性を高めることができる。このとき、各々の端末に透明ボードと称されるオブジェクトを保持する必要もないので、簡易な構成で実現することができる。
また、制御手段は、複数の携帯機器のうちの一の携帯機器から表示画面の切替えを要求する操作を受付けると、表示画面の切替許可を複数の携帯機器のうちの他の携帯機器に対して問合せる表示ガイダンスを、前記表示画面の切替えの要求元である一の携帯機器と複数の携帯機器のうちの当該一の携帯機器を除く他の携帯機器とを識別可能に表示手段に表示させ、他の携帯機器から表示画面の切替えを許可する操作を受付けると、一の携帯機器からの表示画面の切替えを要求する操作に基づいて表示画面を切替えるように構成したので、複数のユーザの各人が常に同じ表示画面を共有することができる。
【０００７】
請求項２に記載した発明によれば、制御手段は、複数の携帯機器の各々に個別に対応する複数のカーソルを携帯機器毎に異なる表示態様にしたがって表示手段に表示させるように構成したので、複数のユーザの各人が自分の携帯機器に対応するカーソルを認識していれば、複数のユーザの各人が自分の携帯機器に対応するカーソルを他人の携帯機器に対応するカーソルと混同することなく容易に認識することができる。
【０００８】
請求項３に記載した発明によれば、制御手段は、複数の携帯機器の各々に個別に対応する複数のカーソルをユーザが携帯機器にて設定した表示態様にしたがって表示手段に表示させるように構成したので、この場合も、上記した請求項２に記載したものと同様にして、複数のユーザの各人が自分の携帯機器に対応するカーソルを認識していれば、複数のユーザの各人が自分の携帯機器に対応するカーソルを他人の携帯機器に対応するカーソルと混同することなく容易に認識することができる。
【０００９】
請求項４に記載した発明によれば、制御手段は、複数の携帯機器で表示される各々のカーソルの移動可能範囲に追従して表示手段におけるカーソル表示を制御するように構成したので、複数のユーザの各人が自分の携帯機器の表示領域でカーソルを移動させるのと同じ感覚で車載マルチカーソルシステムの表示手段でカーソルを移動させることができる。
【００１０】
請求項５に記載した発明によれば、制御手段は、いずれかの携帯機器でカーソルのカーソル位置を当該携帯機器の表示領域での所定位置に移動させる操作が行われると、その携帯機器に対応するカーソルのカーソル位置を表示手段での所定位置に移動させるように構成したので、複数のユーザの各人が例えば自分のカーソルを見失った場合であっても、複数のユーザの各人がカーソルのカーソル位置を当該携帯機器の表示領域での所定位置に移動させる操作を行うことにより、車載マルチカーソルシステムの表示手段でカーソルを容易に所定位置（例えばホームポジション）に移動させることができる。
【００１２】
請求項６に記載した発明によれば、制御手段は、複数の携帯機器のうちの一の携帯機器から検索条件を入力する操作を受付けると、複数の携帯機器のうちの他の携帯機器から同じ検索条件を入力する操作を受付けないように構成したので、複数のユーザが同じ検索条件を入力してしまう無駄を未然に回避することができる。
【００１３】
請求項７に記載した発明によれば、制御手段は、複数の携帯機器のうちの一の携帯機器から入力項目を入力領域に入力する操作を受付けると、複数の携帯機器のうちの他の携帯機器から入力項目を同じ入力領域に入力する操作を受付けないように構成したので、複数のユーザが入力項目を同じ入力領域に入力してしまう無駄を未然に回避することができる。
【発明を実施するための最良の形態】
【００１４】
以下、本発明の車載マルチカーソルシステムを車載ナビゲーションシステムに適用した一実施形態について、図面を参照して説明する。図１は、車載ナビゲーションシステムの本発明に係る要部を機能ブロック図として示している。車載ナビゲーションシステム１は、車室内に搭載されており、制御部２（本発明でいうカーソル操作認識手段、制御手段）、無線通信部３（本発明でいう通信手段）、表示部４（本発明でいう表示手段）、携帯機器管理部５及びカーソル表示態様記憶部６を備えて構成されている。尚、車載ナビゲーションシステム１は、これら各部の他に、現在位置検出部、地図データ記憶部及び音声出力部など周知のナビゲーション動作（現在位置検出、経路検索及び経路案内など）を行うのに必要な機能ブロックを備えて構成されているが、本実施形態では説明を省略する。
【００１５】
制御部２は、ＣＰＵ、ＲＡＭ、ＲＯＭ及びＩ／Ｏバスなどから構成されており、車載ナビゲーションシステム１の動作全般を制御する。無線通信部３は、車室内の略全域を通信エリアとして構成されており、車室内に持ち込まれた携帯機器７ａ〜７ｎとの間で無線通信リンクを確立して無線通信を行う。この場合、無線通信部３と携帯機器７ａ〜７ｎとの間の無線通信は、例えばＢｌｕｅｔｏｏｔｈ（登録商標）や無線ＬＡＮの規格に準拠するものであり、１つの無線通信部３が複数の携帯機器７ａ〜７ｎと無線通信リンクを同時に確立して無線通信を行うことが可能となっている。
【００１６】
表示部４は、例えばタッチパネル機能を有する液晶ディスプレイから構成されており、制御部２から表示指令信号が入力されると、その入力された表示指令信号に基づいた表示動作を行うと共に、タッチキーが操作されると、その操作内容を表す操作検出信号を制御部２へ出力する。携帯機器管理部５は、携帯機器７ａ〜７ｎの無線通信状態を管理する。カーソル表示態様記憶部６は、表示部４に表示されるカーソルの表示態様を記憶しており、制御部２は、カーソル表示態様記憶部６に記憶されているカーソルの表示態様を読出し、カーソルを当該表示態様にしたがって表示部４に表示させる。尚、カーソル表示態様記憶部６に記憶されているカーソルの表示態様は、携帯機器７ａ〜７ｎ毎に異なる。また、この場合、携帯機器７ａ〜７ｎは、携帯電話機や携帯情報端末などから構成される。
【００１７】
次に、上記した構成の作用について、図２ないし図１０を参照して説明する。尚、本実施形態では、複数のユーザとして、ユーザＡ、ユーザＢ及びユーザＣの３人が乗車しており、これらユーザＡ、ユーザＢ及びユーザＣの各人が車載ナビゲーションシステム１との間で無線通信可能な携帯機器を所有していることを前提として説明する。ここで、図２は、車載ナビゲーションシステム１の各部が行う処理をシーケンス図として示している。
【００１８】
車載ナビゲーションシステム１において、制御部２は、ポーリング指令信号を無線通信部３へ出力し、無線通信部３からポーリング信号（電波）を送信させている。ここで、車室内に（ポーリング信号を受信可能な領域内に）携帯機器が存在していると、その車室内に存在している携帯機器は、無線通信部３から送信されたポーリング信号が受信されると、自器を識別する識別子が含まれた応答信号を送信する。
【００１９】
制御部２は、携帯機器から送信された応答信号が無線通信部３に受信され、無線通信部３から応答検出信号が入力されると、携帯機器から無線通信部３に受信された応答信号を解析し、応答信号を送信した携帯機器を識別する。次いで、制御部２は、登録指令信号を携帯機器管理部５へ出力し、携帯機器との間で無線通信リンクを確立している旨を携帯機器管理部５に登録し、読出指令信号をカーソル表示態様記憶部６へ出力し、無線通信リンクを確立した携帯機器に対応するカーソルの表示態様を検索する。そして、制御部２は、カーソル表示態様記憶部６から読出応答信号が入力されると、無線通信リンクを確立した携帯機器に対応するカーソルの表示態様を識別し、表示指令信号を表示部４へ出力し、無線通信リンクを確立した携帯機器に対応するカーソルを表示部４に表示させる。
【００２０】
本実施形態では、制御部２は、以上に説明した一連の処理をユーザＡ、ユーザＢ及びユーザＣの各人が所有している携帯機器との間で行うことにより、図３（ａ）に示すように、ユーザＡが所有している携帯機器に対応するカーソル（図３では「矢印」形状にて示す）、ユーザＢが所有している携帯機器に対応するカーソル（図３では「ロケット」形状にて示す）及びユーザＣが所有している携帯機器に対応するカーソル（図３では「稲妻」形状にて示す）を表示部４に表示させる。
【００２１】
また、制御部２は、携帯機器でのカーソル操作に追従して表示部４でのカーソル表示を制御して当該カーソル操作に基づいた処理を実行する。具体的には、制御部２は、図３（ｂ）に示すように、カーソルのカーソル位置が処理を実行可能な領域であると（例えば「選択ボタン」の領域であると）、そのカーソルに対応する携帯機器にて所定操作が行われた場合に当該所定操作に対応する処理を実行可能である旨を示す処理実行可能アイコン（図３では「星型」形状にて示す）をカーソルに付して表示部４に表示させ、一方、カーソルのカーソル位置が処理を実行可能な領域でないと（例えば「選択ボタン」の領域でないと）、処理実行可能アイコンをカーソルに付すことなく表示部４に表示させる。
【００２２】
すなわち、ユーザは、自分が所有している携帯機器に対応するカーソルに処理実行可能アイコンが付されていれば、その携帯機器にて所定操作を行うことで、その所定操作にしたがって処理を実行させることができ、一方、自分が所有している携帯機器に対応するカーソルに処理実行可能アイコンが付されていなければ、その携帯機器で所定操作を行ったとしても、その所定操作にしたがって処理を実行させることができない。
【００２３】
また、制御部２は、図３（ｃ）に示すように、例えばユーザＡが自分の所有している携帯機器にてカーソルを右方向に移動させる操作（例えばドラックボールを右方向に回転させる操作や右矢印キーを押下する操作など）を行った旨を検出すると、ユーザＡが所有している携帯機器に対応するカーソルを当該操作の操作量に応じて右方向に移動させる。すなわち、ユーザは、自分が所有している携帯機器にてカーソルを移動させる処理を行うことにより、自分が所有している携帯機器に対応するカーソルを移動させることができる。
【００２４】
さらに、制御部２は、例えばユーザＡが自分の所有している携帯機器にてカーソルを当該携帯機器の表示領域でホームポジションに移動させる操作を行った旨を検出すると、ユーザＡが所有している携帯機器に対応するカーソルを表示部４でホームポジションに移動させる。すなわち、ユーザは、自分が所有している携帯機器にてカーソルを当該携帯機器の表示領域でホームポジションに移動させる処理を行うことにより、自分が所有している携帯機器に対応するカーソルを表示部４でホームポジション移動させることができる。
【００２５】
ところで、制御部２は、各々の携帯機器に対する処理単位時間を次のようにして割当てたり割当を解除したりする。すなわち、制御部２は、図４及び図５に示すように、無線通信部３からポーリング信号を送信させるポーリング時間を周期的に設定するようになっており、そのポーリング時間内に応答信号の受信を検出した携帯機器に対しては次のポーリング時間までに処理単位時間を割当てると共に、そのポーリング時間内に応答信号の受信を検出しなかった携帯機器に対しては応答信号の受信を検出しなかった回数が３回連続した後で次のポーリング時間までの処理単位時間の割当を解除する。制御部２は、この一連の処理を行うことにより、携帯機器に対する処理単位時間を効率的に割当てたり割当を解除したりする。
【００２６】
次に、ユーザが行う具体的な動作の一例として
（１）複数のユーザが共同して目的地を検索する場合
（２）複数のユーザが共同して個人情報を登録する場合
について順次説明する。尚、ここでは、上記したように、ユーザＡが所有している携帯機器に対応するカーソルが「矢印」形状の表示態様にしたがって表示され、ユーザＢが所有している携帯機器に対応するカーソルが「ロケット」形状の表示態様にしたがって表示され、ユーザＣが所有している携帯機器に対応するカーソルが「稲妻」形状の表示態様にしたがって表示されることを前提として説明する。
【００２７】
（１）複数のユーザが共同して目的地を検索する場合
最初に、「複数のユーザが共同して目的地を検索する場合」について、図６ないし図９を参照して説明する。
ユーザＡ、ユーザＢ及びユーザＣの各人は、「メイン項目検索」の表示画面が表示されている状態では、いずれかの選択ボタンを選択することができる。ここで、制御部２は、例えばユーザＢが「施設情報」の選択ボタンを操作（クリック）した旨を検出すると（図６（ａ）参照）、「ユーザＢが施設情報の検索を選択しました  表示画面を切替えても良いですか？」という表示画面の切替えをユーザＡ及びユーザＣに問合せる表示ガイダンスを表示させる（図６（ｂ）参照）。この場合、ユーザＡ及びユーザＣは、ユーザＢの表示画面を切替える要求に対して許可するか否かを選択することができ、ユーザＢの表示画面を切替える要求に対して許可する場合であれば、「ユーザＡ  ＯＫ」の選択ボタンを操作すると共に「ユーザＣ  ＯＫ」の選択ボタンを操作する。
【００２８】
次いで、制御部２は、ユーザＡが「ユーザＡ  ＯＫ」の選択ボタンを操作すると共にユーザＣが「ユーザＣ  ＯＫ」の選択ボタンを操作した旨を検出すると（図６（ｃ）参照）、「施設情報検索」の表示画面を表示させる。この場合、ユーザＢは、「施設情報検索」の表示画面が表示されている状態では、いずれかの選択ボタンを選択することができる。ここで、制御部２は、例えばユーザＢが「施設ジャンル検索」の選択ボタンを操作した旨を検出すると（図７（ａ）参照）、「施設ジャンル検索」の表示画面を表示させる（図７（ｂ）参照）。この場合、ユーザＢは、「施設ジャンル検索」の表示画面が表示されている状態では、いずれかの選択ボタンを選択することができる。
【００２９】
次いで、制御部２は、例えばユーザＢが「遊園地」の選択ボタンを操作した旨を検出すると、「ユーザＢが遊園地の検索を選択しました  表示画面を切替えても良いですか？」という表示画面の切替えをユーザＡ及びユーザＣに問合せる表示ガイダンスを表示させる（図７（ｃ）参照）。この場合も、ユーザＡ及びユーザＣは、ユーザＢの表示画面を切替える要求に対して許可するか否かを選択することができ、ユーザＢの表示画面を切替える要求に対して許可する場合であれば、「ユーザＡ  ＯＫ」の選択ボタンを操作すると共に「ユーザＣ  ＯＫ」の選択ボタンを操作する。
【００３０】
次いで、制御部２は、ユーザＡが「ユーザＡ  ＯＫ」の選択ボタンを操作すると共にユーザＣが「ユーザＣ  ＯＫ」の選択ボタンを操作した旨を検出すると（図８（ａ）参照）、「遊園地検索」の表示画面を表示させる（図８（ｂ）参照）。この場合、ユーザＡ、ユーザＢ及びユーザＣの各人は、検索ワードを入力することができる。そして、制御部２は、ユーザＡ、ユーザＢ及びユーザＣの各人が検索ワードを入力した旨を検出すると（図８（ｃ）参照）、それらユーザＡ、ユーザＢ及びユーザＣの各人により入力された検索ワードにしたがって検索を行う。
【００３１】
尚、制御部２は、図９に示すように、表示画面を階層で管理しておくことで、表示画面を切替えることが可能となり、また、各々の表示画面の識別子を判定することで表示ガイダンスを表示させるか否かを判定することが可能となる。また、この場合、制御部２は、ユーザＡ、ユーザＢ及びユーザＣが同じ検索条件を入力する旨を禁止するようになっている。
以上に説明した一連の処理により、ユーザＡ、ユーザＢ及びユーザＣの各人は、各々が所有している携帯機器を操作することで１つの表示画面を見ながら共同して目的地を検索することができる。
【００３２】
（２）複数のユーザが共同して個人情報を登録する場合
次に、「複数のユーザが共同して個人情報を登録する場合」について、図１０を参照して説明する。
ユーザＡ、ユーザＢ及びユーザＣの各人は、「個人情報登録」の表示画面が表示されている状態では、住所、氏名、電話番号、車両番号、勤務先及び生年月日を独立して入力することができる。制御部２は、ユーザＡが住所の入力領域に入力項目を入力している旨を検出すると、その入力されている入力項目を住所の入力領域に表示させ、ユーザＢが電話番号の入力領域に入力項目を入力している旨を検出すると、その入力項目を電話番号の入力領域に表示させ、ユーザＣが勤務先の入力領域に入力項目を入力している旨を検出すると、その入力項目を勤務先の入力領域に表示させる（図１０（ａ），（ｂ）参照）。この場合、制御部２は、ユーザＡ、ユーザＢ及びユーザＣが入力項目を同じ入力領域に入力する旨を禁止するようになっている。
以上に説明した一連の処理により、ユーザＡ、ユーザＢ及びユーザＣの各人は、各々が所有している携帯機器を操作することで１つの表示画面を見ながら共同して個人情報を登録することができる。
【００３３】
以上に説明したように本実施形態によれば、車載ナビゲーションシステム１において、ユーザＡ、ユーザＢ及びユーザＣの各人が携帯機器を所有しており、それらユーザＡ、ユーザＢ及びユーザＣの携帯機器が車載ナビゲーションシステム１との間で通信リンクを同時に確立して通信していると、ユーザＡ、ユーザＢ及びユーザＣの携帯機器に個別に対応するカーソルを同時に表示すると共に複数の携帯機器でのカーソル操作に追従してカーソル表示を制御して当該カーソル操作に基づいた処理を実行するように構成したので、ユーザＡ、ユーザＢ及びユーザＣの各人が独立して車載ナビゲーションシステム１を操作することができ、ユーザＡ、ユーザＢ及びユーザＣが共同して目的地を検索したり個人情報を登録したりするときの操作性を高めることができる。
【００３４】
また、例えばユーザＢの携帯機器から表示画面の切替えを要求する操作を受付けると、表示画面の切替許可をユーザＡの携帯機器及びユーザＣの携帯機器に対して問合せる表示ガイダンスを表示し、ユーザＡの携帯機器及びユーザＣの携帯機器から表示画面の切替えを許可する操作を受付けると、ユーザＢの携帯機器からの表示画面の切替えを要求する操作に基づいて表示画面を切替えるように構成したので、ユーザＡ、ユーザＢ及びユーザＣの各人が常に同じ表示画面を共有することができる。
【００３５】
本発明は、上記した実施形態にのみ限定されるものではなく、以下のように変形または拡張することができる。
車載ナビゲーションシステムに適用する構成に限らず、他の車載システムに適用する構成であっても良い。目的地を検索するアプリケーションや個人情報を登録するアプリケーションに適用する構成に限らず、他のアプリケーションに適用する構成であっても良い。携帯機器と車載ナビゲーションシステムとが無線通信する構成に限らず、携帯機器と車載ナビゲーションシステムとが有線通信する構成であっても良い。
【図面の簡単な説明】
【００３６】
【図１】本発明の一実施形態を示す機能ブロック図
【図２】シーケンス図
【図３】携帯機器に対応するカーソルが表示される態様を示す図
【図４】処理単位時間の割当を解除する態様を示す図
【図５】処理単位時間を割当てる態様を示す図
【図６】表示画面の遷移を示す図（その１）
【図７】表示画面の遷移を示す図（その２）
【図８】表示画面の遷移を示す図（その３）
【図９】アプリケーションの階層を示す図
【図１０】表示画面の遷移を示す図（その４）
【符号の説明】
【００３７】
図面中、１は車載ナビゲーションシステム（車載マルチカーソルシステム）、２は制御部（カーソル操作認識手段、制御手段）、３は無線通信部（通信手段）、４は表示部（表示手段）、７ａ〜７ｎは携帯機器である。
【図１】
0004508077.tif 000002
【図２】
0004508077.tif 000003
【図３】
0004508077.tif 000004
【図４】
0004508077.tif 000005
【図５】
0004508077.tif 000006
【図６】
0004508077.tif 000007
【図７】
0004508077.tif 000008
【図８】
0004508077.tif 000009
【図９】
0004508077.tif 000010
【図１０】
0004508077.tif 000011